(57)【要約】【課題】本発明の目的は、多数の高性能部品を含むモバイル機器をスリム化など小型化する構造を提供することにある。【解決手段】本発明はカメラモジュールに関するものであって、特に本発明の実施形態は、カメラモジュール及び前記カメラモジュールを支持するブラケットを含み、上記カメラモジュールは、カメラのレンズモジュール、開口部を有し、上記レンズモジュールを収納するハウジング、及び上記ハウジングの開口部を覆うカメラウィンドウを含み、上記ブラケットは上記ハウジングの少なくとも一部を支持する領域を含むことを特徴とする、電子装置の構成を含む。【選択図】図３
2014174551.tif 000002
【特許請求の範囲】
【請求項１】
カメラモジュールを含む電子装置であって、
前記カメラモジュールは、
カメラのレンズモジュールと、
カメラレンズモジュールを収納するハウジングであって、前記レンズモジュールの少なくとも一部を露出させる開口部を含むハウジングと、
前記ハウジングの開口部を覆うカメラウィンドウと、
前記開口部を覆い、前記ハウジングの上に配置されるデコと、
前記ハウジングと前記デコとの間に配置される接着層と、
を含むことを特徴とする、電子装置。
【請求項２】
前記カメラモジュールは、前記カメラウィンドウと前記ハウジングとの間に配置される接着層をさらに含むことを特徴とする、請求項１に記載の電子装置。
【請求項３】
前記カメラウィンドウを露出させる開口部を含み、前記デコの一部により支持されるリアカバーをさらに含むことを特徴とする、請求項１に記載の電子装置。
【請求項４】
前記カメラウィンドウを露出させる開口部を含み、前記デコの一部及び／または前記リアカバーの一部により支持される後面カバーをさらに含むことを特徴とする、請求項３に記載の電子装置。
【請求項５】
カメラモジュール及び前記カメラモジュールを支持するブラケットを含み、
前記カメラモジュールは、
カメラのレンズモジュールと、
開口部を有し、前記レンズモジュールを収納するハウジングと、
前記ハウジングの開口部を覆うカメラウィンドウと、を含み、
前記ブラケットは前記ハウジングの少なくとも一部を支持する領域を含むことを特徴とする、電子装置。
【請求項６】
前記ハウジングは、
前記レンズモジュールが安着する内側ハウジングと、
前記内側ハウジングと結合する外側ハウジングと、を含み、
前記外側ハウジングは、前記開口部から外側方向に拡張されて前記ブラケットと接触支持される羽根部を含むことを特徴とする、請求項５に記載の電子装置。
【請求項７】
前記カメラウィンドウが露出する開口部を含み、前記ハウジングの外郭を覆うに配置されるバッテリーカバーと、
前記ブラケットと前記バッテリーカバーとの間に配置され、前記カメラウィンドウを露出させる開口部を含むリアカバーと、
をさらに含むことを特徴とする、請求項５または６に記載の電子装置。
【請求項８】
前記内側ハウジングに形成されるフック部と、
前記外側ハウジングに形成されて前記内側ハウジングとの結合時に、前記フック部と締結されるフックホールと、
をさらに含むことを特徴とする、請求項５または６に記載の電子装置。
【請求項９】
前記ハウジングは、
前記レンズモジュールが安着し、前記カメラウィンドウの縁部を支持する内側側壁構造物と、
前記内側側壁構造物の外側を覆いかぶせ、前記内側側壁構造物と異なる材質で形成される剛性構造物と、
前記剛性構造物の外側を覆いかぶせるように配置される外側側壁構造物と、
を含むことを特徴とする、請求項５に記載の電子装置。
【請求項１０】
前記剛性構造物は、１つまたは１以上の貫通ホールを含み、
前記内側側壁構造物及び前記外側側壁構造物は、前記貫通ホールを通じて相互連結されることを特徴とする、請求項９に記載の電子装置。
【請求項１１】
前記ハウジングの外壁に配置されるデコをさらに含むことを特徴とする、請求項５に記載の電子装置。
【請求項１２】
前記デコの下段に配置されて異物の流入を防止する異物流入防止構造物をさらに含むことを特徴とする、請求項１１に記載の電子装置。
【請求項１３】
前記ハウジングと前記デコとの間に配置される接着層をさらに含むことを特徴とする、請求項１１に記載の電子装置。
【請求項１４】
前記カメラウィンドウを前記カメラハウジングの上部面に固定させる接着層をさらに含むことを特徴とする、請求項５に記載の電子装置。
【請求項１５】
前記ブラケットは、前記ハウジングの少なくとも一部を支持する領域の外部の他の領域（another region）を含み、
前記ハウジングの少なくとも一部を支持する領域の厚さが前記他の領域（the other region）の厚さより薄いことを特徴とする、請求項５に記載の電子装置。
【請求項１６】
前記ハウジングは、プラスチック、セラミック、及び／または金属を含んで形成されていることを特徴とする、請求項５に記載の電子装置。
【請求項１７】
前記ハウジングは、塗装層、メッキ層、蒸着層のうち、少なくとも１つをさらに含むことを特徴とする、請求項５に記載の電子装置。
【請求項１８】
前記ハウジングの外部には、ダイヤカッティング層またはスピンヘアライン加工層が含まれることを特徴とする、請求項５に記載の電子装置。
【請求項１９】
前記ハウジングは、少なくとも一部に色相層を有することを特徴とする、請求項５に記載の電子装置。
【請求項２０】
カメラモジュール及びブラケットを含み、
前記カメラモジュールは、
カメラのレンズモジュールを収納する内側ハウジングと、
前記内側ハウジングと結合される外側ハウジングと、を含み、
前記外側ハウジングは延びた羽根部を含み、
前記ブラケットは前記カメラモジュールを収納し、前記羽根部の少なくとも一部を支持することを特徴とする、電子装置。
【請求項２１】
前記羽根部は、
前記内側ハウジングと並べて配置される側壁部から外側に第１高さだけ突出した第１段差部と、
前記第１高さより高く形成される第２段差部と、
を含むことを特徴とする、請求項２０に記載の電子装置。
【請求項２２】
前記カメラモジュールが露出するように形成されたホールの周辺が前記第１段差部に置かれて、前記ブラケットと締結されるリアカバーと、
前記カメラモジュールが露出するように形成されたホールの周辺が前記第２段差部に置かれて、前記リアカバーの上に配置されるバッテリーカバーと、
をさらに含むことを特徴とする、請求項２１に記載の電子装置。
【請求項２３】
前記羽根部は、一部分が凹凸形態に形成されることを特徴とする、請求項２０に記載の電子装置。
【請求項２４】
前記ブラケットは、前記ブラケットの一定位置に設けられ、上段部が前記凹凸形態の羽根部を支持するように形成されるガイドブロックを含むことを特徴とする、請求項２３に記載の電子装置。
【請求項２５】
前記カメラレンズモジュールが収納されたハウジングの開口部を覆うカメラウィンドウと、
前記カメラウィンドウを前記カメラハウジングの上段部に固定させる接着層と、
前記ハウジングの下部を覆うように配置される保護テープのうち、少なくとも１つをさらに含むことを特徴とする、請求項２０から２４のいずれか一項に記載の電子装置。
【請求項２６】
前記ブラケットは、前記カメラモジュールが実装される領域が他の領域に比べて相対的に薄く形成されることを特徴とする、請求項２０から２４のいずれか一項に記載の電子装置。
【請求項２７】
ディスプレイモジュールと、
後面カバー（back cover）と、
前記ディスプレイモジュールと後面カバーとの間に配置されたリアカバー（rear cover）と、
前記リアカバーとディスプレイモジュールとの間に形成された空間に少なくとも一部が配置されたカメラモジュールと、を含み、
前記カメラモジュールは、
カメラレンズモジュールと、
カメラレンズモジュールを収納するハウジングであって、前記レンズモジュールの少なくとも一部を露出させる開口部を含むハウジングと、
前記ハウジングの開口部を覆うカメラウィンドウと、を含み、
前記リアカバーは、前記カメラウィンドウを露出させる開口部を含み、前記ハウジングの一部により支持され、
前記後面カバーは前記カメラウィンドウを露出させる開口部を含み、前記リアカバーの一部または前記ハウジングの更に他の一部のうち、１つまたはその以上により支持されることを特徴とする、電子装置。
【発明の詳細な説明】
【技術分野】
【０００１】
本発明は電子装置に関し、より詳しくは、カメラモジュールを含む電子装置に関する。
【背景技術】
【０００２】
最近、各種機能を有するモバイル電子装置または電子機器が急速に開発されている。モバイル電子機器において、携帯性が重要な特徴の１つである。したがって、モバイル機器の小型化、軽量化、スリム化などの努力が継続して行われている。
【０００３】
ところで、このようなモバイル電子機器が多様な機能を提供するための必要性も増加して、高性能のさまざまな部品を含むようになっている。したがって、多数の高性能部品を含むモバイル機器をスリム化など小型化する必要性が増加している。
【発明の概要】
【発明が解決しようとする課題】
【０００４】
本発明の目的は、多数の高性能部品を含むモバイル機器をスリム化など小型化する構造を提供することにある。
【課題を解決するための手段】
【０００５】
本発明の実施形態によれば、カメラのレンズモジュール、開口部が形成され、上記レンズモジュールが収納されるハウジング及び上記ハウジングの開口部を覆うカメラウィンドウを含むカメラモジュールと、上記カメラモジュールが収納される一定領域において上記ハウジングの少なくとも一部を支持するブラケットと、を含むことを特徴とする、電子装置の構成が開示される。
【０００６】
また、本発明の実施形態はカメラのレンズモジュールが収納される内側ハウジング、外方に段差付けて拡張された羽根部が形成され、上記内側ハウジングと締結される外側ハウジングを含むカメラモジュール、上記カメラモジュールが収納され、上記羽根部の少なくとも一部を支持するブラケットを含むことを特徴とする、電子装置（例えば、モバイル端末機）の構成を開示する。
【発明の効果】
【０００７】
以上、説明したように、本発明のカメラモジュールを含む端末機によれば、本発明のカメラモジュールをよりスリム化など小型化することで、カメラモジュールが実装される空間を縮小することができる。
【図面の簡単な説明】
【０００８】
【図１ａ】本発明の一実施形態に従うカメラモジュールが適用される端末機の後面の外観を各々概略的に示す斜視図である。
【図１ｂ】本発明の一実施形態に従うカメラモジュールが適用される端末機の前面の外観を各々概略的に示す斜視図である。
【図２ａ】図１ａの端末機の展開斜視図である。
【図２ｂ】図１ａの切断線Ａ−Ａ’に沿って切断した断面を示す断面図である。
【図３】本発明の一実施形態に従う第１カメラモジュールの分解斜視図である。
【図４】本発明の他の実施形態に従う第２カメラモジュールの外観を示す斜視図である。
【図５】図４の切断線Ｂ−Ｂ’に沿って切断した断面を示す断面図である。
【図６】本発明の他の実施形態に従う第２カメラモジュールがブラケットに実装された形状を示す部分斜視図である。
【図７】本発明の他の実施形態に従う第２カメラモジュールが実装された端末機の断面の一部を示す部分断面図である。
【図８】本発明の更に他の実施形態に従う第３カメラモジュールの外観を示す斜視図である。
【図９】図８の切断線Ｃ−Ｃ’に沿って切断した断面を示す断面図である。
【図１０】本発明の更に他の実施形態に従う第３カメラモジュールがブラケットに実装された形状を示す部分斜視図である。
【図１１】本発明の更に他の実施形態に従う第３カメラモジュールが実装された端末機の断面の一部を示す部分断面図である。
【発明を実施するための形態】
【０００９】
最近、モバイル電子機器がカメラを含む場合が多くなっている。カメラがモバイル電子機器に含まれる場合、カメラモジュールとして取り付けられることが一般的である。初期の携帯端末機とケーブルを介して連結されていたカメラモジュールは、最近では、一体化した形態が普遍的なデザインとして脚光を浴びている。
【００１０】
ここで、カメラモジュールは携帯端末機に実装された後、被写体に対する映像を収集できるように多様な構成要素を含むパッケージ形態で提供される。例えば、カメラモジュールは、レンズ、シャッター羽根、イメージセンサ、回路が取り付けられたＰＣＢ（Printed Circuit Board）などを含むことができる。また、カメラモジュールは前述した構成を内蔵するケースを含んで構成できる。
【００１１】
このような構成のカメラモジュールは、端末機に実装された後、衝撃などから保護されるために、多様な構造物によってカメラモジュールが覆われるようになる。これによって、携帯端末機はカメラモジュールが実装された領域が他の領域に比べて突出する形態となる。
【００１２】
カメラモジュールが携帯端末機の外観の周辺領域より突出した構成は、衝撃発生時、衝撃量が突出したカメラモジュールに集中するため、破損の危険性が高いという短所がある。破損の危険性を減らすためには、カメラモジュールを覆う構造物をより強固にする方案を考慮することができるが、この場合、装置の厚さと重さが増加することがある。したがって、カメラモジュールをよりスリム化しながらも衝撃に対して安定した構造を有するカメラモジュールを含む端末機を提供する必要性がある。
【００１３】
以下、本発明の実施形態を添付した図面に基づいて詳細に説明する。実施形態を説明するに当たって、本発明に属する技術分野によく知られており、本発明と直接的に関連のない技術内容に対しては説明を省略する。また、実質的に同一な構成と機能を有する構成要素に対しては詳細な説明を省略する。
【００１４】
同様の理由により添付図面において一部構成要素は誇張、省略、または概略的に図示されたものであり、各構成要素のサイズは実際のサイズを全的に反映するものではない。したがって、本発明の実施形態は添付した図面に描かれた相対的なサイズや間隔により制限されない。
【００１５】
図１ａ及び図１ｂは、本発明の実施形態に従うカメラモジュールを取り付けた端末機の外観を概略的に示す図である。本発明の多様な実施形態は、モバイル機器、特に、スマートフォンを前提で図示及び説明されたが、実施形態は多様な電子機器またはモバイル機器のうち、カメラを搭載した電子機器に適用できることは技術分野で通常の知識を有する者であれば、明確に理解することができる。
【００１６】
図１ａ及び図１ｂを参照すると、本発明の実施形態に従う端末機１００は、図示したように、バッテリーカバー（または、後面カバーまたは背面カバー）１３０、後面カバー１３０（または、バッテリーカバー）が取り付けられた本体１１０、本体１１０の一部分に位置したカメラモジュール１７０を含むことができる。ここで、カメラモジュール１７０は、本体１００の多様な位置のうち、少なくとも一個所に設けられる。例えば、カメラモジュール１７０は図面で端末機１００の上段中央に位置することと示したが、上記カメラモジュール１７０は端末機１００の上段の右側に偏って配置されたり、上段の左側に偏って配置されたり、下段の右側又は左側に偏って配置することができる。また、カメラモジュール１７０は端末機１００の中段に配置されることもでき、端末機１００の下段に配置されることもできる。一方、他の実施形態において、端末機１００は追加的にスピーカー（speaker）、レシーバー１２２、前面カメラ１７１、近接センサ１８１、ホームキー１２１などを含むことができる。
【００１７】
このような構成を含む本発明の実施形態に従う端末機１００は、後面カバー１３０が本体１１０と一体化して提供されることもできる。更に他の実施形態では、後面カバー１３０が、端末機本体、即ち、内側のリアカバー（図２ａの１３０２であり、追って説明）から分離されて、バッテリーを取り替えることができる形態を有することができる。
【００１８】
図２ａに示すように、後面カバー１３０が取り付けられる本体１１０には、その前面に表示部１４０を含むディスプレイモジュール１４００を含むことができる。この表示部１４０には、端末機１００の動作と関連した多様な画面が出力できる。また、表示部１４０は端末機１００の入力手段として動作するためにタッチスクリーンの形態になることができる。これによって、表示部１４０はユーザの指入力やペン入力などに従う入力信号を端末機１００の制御部に伝達することができる。上記ディスプレイモジュール１４００は、タッチスクリーンの動作のための多様な部品（例えば、ＬＣＤまたはＯＬＥＤパネル、タッチ認識パネル、スタイラス（stylus）ペン入力パネルなど）を含むことができる。
【００１９】
図１ｂをまた参照すると、レシーバー１２２は端末機１００で再生されたオーディオ信号または音声通話や映像通話のうち、受信されるオーディオ信号を出力する。前面カメラ１７１は映像を収集する機能を提供する構成であって、映像通話またはセルフカメラ撮影（セルカと称する）などに利用できる。このような前面カメラ１７１は、後面のカメラモジュール１７０に比べて解像度が相対的に低い撮影を遂行するカメラで構成できる。これによって、前面カメラ１７１は、後面のカメラモジュール１７０に比べて相対的に一層小型でありうる。近接センサ１８１は、受光部と発光部の構成を含み、発光部から照射された光を受光部で受信して物体の近接をセンシングするか、または照度、又は明るさの変化をセンシングすることができる。このために、近接センサ１８１は照度センサで構成されることもできる。ホームキー１２１は、端末機１００のハードウェアキーのうちの１つになることができる。ホームキー１２１は、端末機１００のウェイクアップ（Wake-up）機能、ホーム画面への転換機能、作業リスト画面への転換機能などをサポートするように機能がマッピングできる。
【００２０】
前述した構成を有する本発明の実施形態に従う端末機１００は、端末機１００の後面に配置されるカメラモジュール１７０を含む。一実施形態によれば、上記カメラモジュール１７０は、端末機１００の内にその実装空間が縮小できる構造を有することができる。そして、本発明の実施形態に従う端末機１００において、カメラモジュール１７０の構成品のうち、カメラウィンドウを支持するハウジング（内部ハウジング１２１０、外部ハウジング１２２０）は羽根部１０３０（図２ｂ）を含むことができる。
【００２１】
そして、カメラモジュール１７０の実装後、端末機１００の後面前半部を覆うリアカバー１３０２（図２ａを参照して追って説明）及びバッテリーカバー１３０のうち、少なくとも１つが前述した羽根部１０３０と積層されるように配置できる。これによって、本発明の実施形態に従う端末機１００は、カメラウィンドウ１２４０の前面から直下方に発生する衝撃がハウジング（内部ハウジング１２１０、外部ハウジング１２２０）の側壁部１０２０及び羽根部１０３０に伝達され、側壁部１０２０及び羽根部１０３０に伝達された衝撃がブラケット（例えば、ハウジング（１２１０、１２２０）又は羽根部１０３０の少なくとも一部を支持する）、リアカバー１３０２、及び後面カバー１３０のうちの１つまたはその組み合わせによって吸収できる。本発明の実施形態に従う端末機１００は、衝撃発生（例えば、一例を挙げれば、端末機１００が落ちることなど）時に適切な衝撃分散により衝撃によるカメラモジュール１７０の破損防止効果を増大させることができる。
【００２２】
前述したように、本発明の実施形態に従う端末機１００は、カメラモジュール１７０を構成するに当たって、レンズモジュール１２５０を覆いかぶせるハウジング（１２１０、１２２０）にカメラウィンドウ１２４０が支持（support）されるように配置できる。したがって、カメラモジュール１７０の高さまたは厚さがスリムに具現できる。
【００２３】
これと共に、本発明の一実施形態に従うカメラモジュール１７０において、ハウジング（１２１０、１２２０）の形状に羽根部１０３０が含まれてもよい。カメラモジュール１７０が端末機１００内に実装される場合において、周辺構造物（例えば、リアカバー１３０２やデコ１３０７等）と羽根部１０３０が締結されるように配置できる。以下、本発明のカメラモジュール１７０の多様な実施形態に従う構成及びカメラモジュール１７０の実装形態などについて図面を参照してより詳細に説明する。
【００２４】
図２ａ及び図２ｂは、本発明の第１実施形態に従う端末機１００及び第１カメラモジュール１１７０が実装された構造を説明するための図である。特に図２ｂは、図１ａの切断線Ａ−Ａ’に沿って切断した断面を概略的に示す図である。図３は、本発明の実施形態に従う第１カメラモジュール１１７０の構成を示す分解斜視図である。
【００２５】
まず図２ａ及び図２ｂを参照すると、本発明の端末機１００は、後面カバー１３０１、リアカバー１３０２、ブラケット２０００、ディスプレイモジュール１４００が積層して構成される。この際、後面カバー１３０１は第１カメラモジュール１１７０の露出のための第１カメラホール１３１と、端末機１００に含まれたスピーカー（speaker）配置のための第１スピーカーホール１３２を含む。ここで、第１スピーカーホール１３２は端末機１００の設計変更によって、撮影時に光をフラッシュさせるための素子が設けられるフラッシュホール（Flash hole）に用いられることもできる。また、後面カバー１３０１の一側には別途に設けられた音響スピーカーサポートのために第１補助スピーカーホール１３３が設けられる。
【００２６】
リアカバー１３０２は、後面カバー１３０１の下に配置される。リアカバー１３０２は、第１カメラモジュール１１７０露出のための第２カメラホール１３１０、スピーカー（speaker）の配置のための第２スピーカーホール１３２０が設けられる。そして、リアカバー１３０２の中央側にはバッテリー配置のためのバッテリーホール１３４０が設けられる。リアカバー１３０２の一側には補助スピーカー配置のための第２補助スピーカーホール１３３０が設けられる。このようなリアカバー１３０２は、ブラケット２０００と締結されてブラケット２０００の上に置かれる構成品の遊動を防止し、衝撃から保護する役割を遂行することができる。ブラケット２０００は、前述した第１カメラモジュール１１７０と端末機１００の関連の多様な構成品、例えば回路モジュールやスピーカー、ハードウェアキーなどが配置できるように一定空間を提供する。特に、ブラケット２０００は第１カメラモジュール１１７０の実装のためのカメラ実装空間２３２０を提供する。そして、ブラケット２０００の中央の一側にはバッテリーが安着するバッテリー安着空間２０１０が設けられる。
【００２７】
ディスプレイモジュール１４００の一側にはハードウェアキー、例えばホームキーが配置されるホームキーホール１４１が設けられる。
【００２８】
第１カメラモジュール１１７０が実装された端末機１００の領域のうちの一部構造は、図２に示すように、第１カメラモジュール１１７０が実装される領域と、第１カメラモジュール１１７０の実装後、第１カメラモジュール１１７０を覆うように配置されるリアカバー１３０２を含むことができる。
【００２９】
リアカバー１３０２は、端末機１００のメインボードの少なくとも一部を覆ってメインボードの損傷を防止する役割をする構造でありうる。リアカバー１３０２は、プラスチックまたはＰＣやＡＢＳなど、一定の剛性を有する材質で形成できる。このようなリアカバー１３０２は、図示してはいないが、メインボードとねじ結合及びフック結合などにより締結できる。特に、リアカバー１３０２の領域のうち、第１カメラモジュール１１７０がメインボードの上に実装された領域は、第１カメラモジュール１１７０の露出のために開放部（第２カメラホール１３１０）が形成できる。リアカバー１３０２の開放部は、第１カメラモジュール１１７０の周辺部を覆いかぶせるように配置できる。
【００３０】
実施形態によれば、第１カメラモジュール１１７０は図２ａから図３に図示されたように、回路モジュール１２３２、カメラＰＣＢ基板１２３０、内部ハウジング１２１０、外部ハウジング１２２０、レンズモジュール１２５０、カメラウィンドウ１２４０、及びデコ（ｄｅｃｏ）１３０７を含むことができる。
【００３１】
回路モジュール１２３２は、実装されたカメラＰＣＢ基板１２３２の上に実装される。内部ハウジング１２１０は、カメラＰＣＢ基板１２３２を覆いかぶせて配置できる。外部ハウジング１２２０は、内部ハウジング１２１０と締結され、羽根部１０３０が形成できる。レンズモジュール１２５０は、内部ハウジング１２１０と外部ハウジング１２２０が形成する内部空間に配置できる。カメラウィンドウ１２４０は、レンズモジュール１２５０が露出するように形成された外部ハウジング１２２０の開口部を覆うように配置される。デコ１３０７は、外部ハウジング１２２０の外郭部に締結できる。
【００３２】
また、第１カメラモジュール１１７０はカメラウィンドウ１２４０の固定のために配置される接着層１２４１、デコ１３０７を外部ハウジング１２２０の外郭部に固定させるための接着層１２４２をさらに含むことができる。また、第１カメラモジュール１１７０は、剛性の補完のために保護テープ１２１１をさらに含むことができる。ここで、接着層１２４１及び接着層１２４２は両面に接着物質が塗布されたテープ形状に設けられる。
【００３３】
回路モジュール１２３２が実装されたカメラＰＣＢ基板１２３０は、第１カメラモジュール１１７０の下部に配置できる。このような回路モジュール１２３２は、レンズモジュール１２５０に含まれたイメージセンサ１２６０に結ばれた画像に対する情報を端末機１００の制御部などに提供することができる。このために、カメラＰＣＢ基板１２３０の一側には回路配線が設けられる。ここで、回路配線はＦＰＣＢ（Flexible Printed Circuit Board）で設けられる。
【００３４】
レンズモジュール１２５０は、１つまたはその以上のレンズ、イメージセンサ１２６０、シャッタースリットなどを含む。上記レンズは、外部から光が流入する領域に配置できる。イメージセンサ１２６０は、レンズを通じて提供された光を収集する。シャッタースリットは、イメージセンサ１２６０の開口を制御する。このようなレンズモジュール１２５０は、第１カメラモジュール１１７０の性能によって、より多様な形態の構造物に取り替えられるか、またはより単純な形態の構造物に取り替えられることができる。前述したレンズモジュール１２５０は、内部ハウジング１２１０及び外部ハウジング１２２０の結合により設けられる一定空間の上に安着及び／または固定される。
【００３５】
内部ハウジング１２１０は、上部に開口を有することができる。内部ハウジング１２１０は、図示したように、実装されたレンズモジュール１２５０を保護するために、例えばボックス形態を有することができるが、その形態はこれに制限されるものではない。このような内部ハウジング１２１０は、側壁のうち、少なくとも１つの側壁に外部ハウジング１２２０との結合のためにフック部１２１２を含むことができる。内部ハウジング１２１０の開口された上面は外部ハウジング１２２０と接触し、これによって、外部ハウジング１２２０を支持する役割を遂行する。一実施形態によれば、内部ハウジング１２１０は外部ハウジング１２２０に加えられた衝撃量を側壁から伝達を受けて第１カメラモジュール１１７０が実装される端末機１００のブラケット（例えば、ハウジング（１２１０、１２２０）又は羽根部１０３０の少なくとも一部を支持する）に伝達することができる。これによって、内部ハウジング１２１０は、外部ハウジング１２２０に加えられた力を分散し、内側に配置されたレンズモジュール１２５０が破損しないように保護する役割を遂行することができる。
【００３６】
外部ハウジング１２２０の少なくとも一部分は、内部ハウジング１２１０の上側に配置できる。外部ハウジング１２２０は、内部ハウジング１２１０の内に配置されたレンズモジュール１２５０が内部ハウジング１２１０から離脱しないようにする役割を遂行する。このような外部ハウジング１２２０は、内部ハウジング１２１０の開口された上側を覆うように配置できる。この際、外部ハウジング１２２０は内部ハウジング１２１０の内側に配置されたレンズモジュール１２５０に光が照射できるように一定サイズの開口部１２２０ａが中央に設けられる。開口部１２２０ａは、円形または他の適切な形態を有することができる。
【００３７】
前述した外部ハウジング１２２０は、蓋部１０１０、羽根部１０３０、及び側壁部１０２０を含むことができる。蓋部１０１０は、内部ハウジング１２１０の少なくとも一部と接触して内部ハウジング１２１０の上側の開口された領域を覆うように配置できる。羽根部１０３０は、蓋部１０１０の縁部から拡張されて設けられる。側壁部１０２０は、蓋部１０１０と概ね垂直に形成されて内部ハウジング１２１０の外壁の一部と対面できる。
【００３８】
図示した実施形態では、蓋部１０１０はカメラウィンドウ１２４０が安着した後、固定できるように、段差を有する形状または階段形状を有することができる。即ち、蓋部１０１０は蓋１０１１及び蓋枠１０１２を含む。蓋１０１１は、開口部を有することができる。蓋枠１０１２は、蓋１０１１の縁部で一定幅を有し、蓋１０１１と段差を有するように形成され、かつ一定幅を有して形成される。蓋枠１０１２は、蓋１０１１より高く配置される。つまり、図２Ｂ中において、蓋枠１０１２は、蓋１０１１よりも上側に位置し、蓋１０１１よりも後面カバー１３０１に近い位置に形成される。蓋１０１１は、四角形状に設けられ、これによって、蓋枠１０１２やはり四角形状に設けられる。このような蓋１０１１は、四角形状だけでなく、円形であることもあり、必要によって多様な形態を有することができる。
【００３９】
図３に示すように、羽根部１０３０は、蓋部１０１０の縁部に形成できる。一実施形態によれば、羽根部１０３０は蓋枠１０１２に対して一定傾斜角を有し、一定長さだけ拡張されて形成できる。図示した実施形態では、羽根部１０３０はデコ１３０７との結合のためにデコ１３０７の傾斜角と同一な傾斜角を有する形態を有する。羽根部１０３０の端部は、デコ１３０７の支持のために上方に延びる帯１０３０ａが設けられる。
【００４０】
側壁部１０２０の一側には内部ハウジング１２１０に設けられたフック部１２１２と締結されるフックホール１０１３を有する延伸部１０１５が提供できる。この延伸部１２１５は側壁部１０２０から直下方に延伸して形成される。延伸部１２１５は、フック部１２１２にフック結合できるように中央領域にフックホール１０１３が設けられる。
【００４１】
接着層１２４１は、外部ハウジング１２２０の上部に配置できる。接着層１２４１は、外部ハウジング１２２０の上に配置されるカメラウィンドウ１２４０の動きを制限する役割を遂行する。このために、接着層１２４１は蓋１０１１の形状に対応する形状に設けられる。即ち、四角形の板形の中央に外部ハウジング１２２０の開口部１２２０ａに対応する開口領域１２４１ａが設けられる。
【００４２】
カメラウィンドウ１２４０は、レンズモジュール１２５０に含まれたレンズに、外部からの光が入射できるように設置できる。また、カメラウィンドウ１２４０はレンズモジュール１２５０に異質物などが流入しないように外部ハウジング１２２０を封入する役割を遂行する。カメラウィンドウ１２４０は、接着層１２４１を通じて外部ハウジング１２２０と接着できる。カメラウィンドウ１２４０は、光漏れなどの防止の目的及び外部光がレンズモジュール１２５０に集光できるように、外部ハウジング１２２０の開口部１２２０ａより小さい領域のみ透明に形成できる。そして、カメラウィンドウ１２４０は透明領域以外の領域は不透明に形成できる。カメラウィンドウ１２４０は、透明材質の強化ガラス、強化プラスチックなどで構成できる。そして、カメラウィンドウ１２４０の不透明領域は不透明フィルムにより接着処理されるか、または着色処理できる。
【００４３】
接着層１２４２は、外部ハウジング１２２０の蓋枠１０１２に配置できる。これによって、接着層１２４２は蓋枠１０１２の幅に対応する幅で形成される。接着層１２４２の上部にはデコ１３０７が配置される。これによって、接着層１２４２は外部ハウジング１２２０の蓋枠１０１２とデコ１３０７の上段の内側を互いに接着しるようにサポートする。
【００４４】
デコ１３０７は、接着層１２４２を通じて外部ハウジング１２２０の外壁と対面するように配置できる。このようなデコ１３０７は、第１カメラモジュール１１７０の剛性をサポートし、異質物などの流入を防止する役割を遂行する。そして、デコ１３０７は端末機１００の背面の美観装飾を提供することができる。デコ１３０７は、四角帯１３０６及び傾斜側壁１３０８を含むことができる。四角帯１３０６は、外部ハウジング１２２０の蓋枠１０１２と接触できる。このために、四角帯１３０６は環状に設けられる。
【００４５】
傾斜側壁１３０８は、四角帯１３０６を覆いかぶせ、外部ハウジング１２２０の羽根部１０３０の外壁と対面できる。四角帯１３０６の開口された領域を通じてカメラウィンドウ１２４０が外部に露出する。結果的に、カメラウィンドウ１２４０の中心部に設けられた透明領域を通じて光が流入すれば、該当光がレンズモジュール１２５０に伝達されてイメージセンサ１２６０に像が結ばれる。
【００４６】
デコ１３０７が端末機に実装される過程で、デコ１３０７の下段部には異物流入防止構造物としてスポンジ１３０３が配置できる。一方、前述した四角帯１３０６は設計者の意図によって多様な形態、例えば円形、楕円形、または多角形の形状に設けられる。
【００４７】
前述した内部ハウジング１２１０及び外部ハウジング１２２０のうちの少なくとも１つは、ＰＣ材質、ＳＴＳ材質、Ａｌ材質などで設けられる。そして、内部ハウジング１２１０及び外部ハウジング１２２０は、金属インサート射出により製作できる。上記接着層は、ボンディング（Bonding）、テーピング（Taping）などにより設けられ、エポキシ素材になることができる。カメラウィンドウは、アクリル、ガラス（Glass）、及びサファイアなど、多様な材質で構成できる。デコは、内部ハウジング及び外部ハウジングと類似の材質、例えばＰＣ材質、ＳＴＳ材質、Ａｌ材質などで設けられる。デコは、金属インサート射出により設けられる。
【００４８】
一方、前述した説明ではデコ１３０７が別途に設けられ、接着層１２４２を通じて外部ハウジング１２２０の上にデコ１３０７が配置される構造を例示したが、本発明の実施形態はこれに限定されるものではない。即ち、上記デコ１３０７は設計者の意図によって省略できる。これによって、接着層１２４２も省略できる。デコ１３０７が除外される場合、外部ハウジング１２２０の形状がデコ１３０７の剛性と美的デザインを有するように設計できる。このための構造に対して後述する図面を参照してより詳細に説明する。
【００４９】
以上、説明したように、本発明の実施形態に従う第１カメラモジュール１１７０は、レンズモジュール１２５０が安着する内部ハウジング１２１０と外部ハウジング１２２０とを含むことができる。そして、第１カメラモジュール１１７０において、カメラウィンドウ１２４０が外部ハウジング１２２０の上に支持できる。また、本発明の実施形態に従う第１カメラモジュール１１７０はレンズモジュール１２５０を覆いかぶせるハウジングの構造で羽根部１０３０を設ける。これによって、本発明の実施形態が提供する第１カメラモジュール１１７０は衝撃に安定的で、かつよりスリム化した構造を提供する。
【００５０】
図４は本発明の第２実施形態に従う第２カメラモジュールの外観を概略的に示す図であり、図５は図４の第２カメラモジュールの構成を切断線Ｂ−Ｂ’に沿って切断した断面を示す図である。
【００５１】
図４及び図５を参照すると、本発明の第２カメラモジュール２１７０はカメラＰＣＢ基板２２３０、内部ハウジング２２１０、外部ハウジング２２２０、レンズモジュール２２５０、及びカメラウィンドウ２２４０を含む。第２カメラモジュール２１７０は、カメラウィンドウ２２４０と外部ハウジング２２２０との間には接着層２２４１をさらに含むことができる。
【００５２】
前述した構成を有する本発明の第２カメラモジュール２１７０において、前述したデコ（第１実施形態で示されたデコ１３０７に相当）の構成が外部ハウジング２２２０に結合できる。したがって、一実施形態によれば、第２カメラモジュール２１７０は、端末機１００の全体製造工程をより単純化しながらも高さを低減することができる。
【００５３】
これをより詳細に説明すると、本発明の第２実施形態に従う第２カメラモジュール２１７０は、カメラＰＣＢ基板２２３０を下部に含むことができる。そして、第２カメラモジュール２１７０は、内側にレンズモジュール２２５０を含むように、上側の開口された内部ハウジング２２１０を含むことができる。そして、第２カメラモジュール２１７０はカメラウィンドウ２２４０の縁部をガイドし、リアカバー（第１実施形態で示されたリアカバー１３０２に相当）とバッテリーカバー（第１実施形態で示されたバッテリーカバー１３０に相当）が側面に配置される外部ハウジング２２２０を含むことができる。
【００５４】
前述した外部ハウジング２２２０は、蓋部２０１０、側壁部２０２０、及び羽根部２０３０を含むことができる。蓋部２０１０は、内部ハウジング２２１０の側壁の上部に置かれる。側壁部２０２０は、蓋部２０１０と垂直方向に配置され、内部ハウジング２２１０の側壁の一部と対面する。羽根部２０３０は、側壁部２０２０から延伸される。
【００５５】
蓋部２０１０は、側壁部２０２０からレンズモジュール２２５０が配置された方向に垂直に一定の長さだけ延伸できる。蓋部２０１０は、内部ハウジング２２１０の側壁の上部に置かれる。このような蓋部２０１０は、内部ハウジング２２１０の側壁の厚さより長く形成できる。蓋部２０１０は、レンズモジュール２２５０の露出のために中央に円形の貫通部２０１０ａが設けられた一定形状の帯で設けられる。蓋部２０１０は、側壁部２０２０の内側に配置される。蓋部２０１０の上部にはカメラウィンドウ２２４０の縁部領域が配置される。この際、カメラウィンドウ２２４０の縁部と蓋部２０１０との間には接着層２２４１が設けられる。蓋部２０１０の形状は、円形、四角形、楕円形など、多様な形状に設けられることができ、形状に制限されるものではない。
【００５６】
側壁部２０２０は、下段部分と上段部分とを含むことができる。側壁部２０２０の下段部分は、内部ハウジング２２１０の内側に形成された蓋部２０１０を基準に内部ハウジング２２１０の側壁と対面する。側壁部２０２０の上段部分は、蓋部２０１０の形成地点から上方に突出する。側壁部２０２０の下段部分は端末機に実装される過程でブラケット（例えば、ハウジング（２２１０、２２２０）又は羽根部２０３０の少なくとも一部を支持する）に設けられたガイドブロック（図示せず）と接触して衝撃を伝達する役割を遂行する。このような側壁部２０２０は、ガイドブロックに実装時、整列の便宜性及び接触面積の拡張のために凹凸形態に設けられる。
【００５７】
図４及び図５に図示した実施形態では、一辺に１つの突出した形状の側壁部２０２０が設けられることと示したが、他の実施形態ではこのような構成に限定されるものではない。即ち、設計者の意図によって側壁部２０２０はより多い谷と山を有する凹凸形態に設けられる。これに対応して、ブラケットのガイドブロックやはり側壁部２０２０の谷と山に対応する山と谷を有する凹凸形状に設けられる。
【００５８】
側壁部２０２０のうち、上段部分の内壁はカメラウィンドウ２２４０の縁部をガイドすることができる。そして、側壁部２０２０の上段部分の高さは安着したカメラウィンドウ２２４０の厚さと同一なサイズに形成される。または、側壁部２０２０の上段部分の高さはレンズスクラッチの防止のためにカメラウィンドウ２２４０より高く形成される。
【００５９】
羽根部２０３０は、側壁部２０２０の外方に突出して形成できる。このような羽根部２０３０は、第１段差部２０３１及び第２段差部２０３２を含む。第１段差部２０３１は、側壁部２０２０から第１高さだけ形成される。第１段差部２０３１と側壁部２０２０が形成する段差領域にはバッテリーカバーの一側が配置される。第２段差部２０３２は、第１段差部２０３１から一定の幅と高さを有し、突出して設けられる。第２段差部２０３２と第１段差部２０３１が形成する上部段差領域にはリアカバーの一側が配置される。そして、第２段差部２０３２と第１段差部２０３１が形成する下部段差領域はブラケットの上段と接触する。
【００６０】
前述した構造を有する本発明の第２カメラモジュール２１７０において、カメラウィンドウ２２４０が外部ハウジング２２２０に付着または脱着状態でありうる。これによって、第２カメラモジュール２１７０は高さを最小化することができる。特に、第２カメラモジュール２１７０は、カメラウィンドウ２２４０とレンズモジュール２２５０との高さを最小化する。これによって、第２カメラモジュール２１７０はレンズモジュール２２５０の視野角をより拡張させることができる。
【００６１】
一方、第２カメラモジュール２１７０は、カメラウィンドウ２２４０とレンズモジュール２２５０との間隔が狭くなっても外部ハウジング２２２０の側壁部２０２０が外部から加えられた衝撃量を羽根部２０３０の方向に伝達する。そして、羽根部２０３０は、第２カメラモジュール２１７０に連結されたバッテリーカバー及びリアカバー、ブラケットなどに該当衝撃量を伝達する。結果的に、第２カメラモジュール２１７０は衝撃に対するレンズモジュール２２５０の破損を抑制することができる。
【００６２】
前述した本発明の第２実施形態に従う第２カメラモジュール２１７０の端末機の実装に対し、図６及び図７を参照してより詳細に説明する。図６は図４の第２カメラモジュール２１７０がブラケット２３１０に実装された形状を立体的に示す図であり、図７は図４の第２カメラモジュール２１７０が実装された端末機の一部断面を示す断面図である。
【００６３】
図６及び図７を参照すると、本発明の端末機は第２カメラモジュール２１７０の安着のためにブラケット２３１０を含むことができる。また、端末機はブラケット２３１０の一定領域で第２カメラモジュール２１７０が挿入できるようにガイドブロック２３１１を含むことができる。ガイドブロック２３１１は、第２カメラモジュール２１７０の内部ハウジング２２１０の形状に対応する形状に設けられる。例えば、第２カメラモジュール２１７０の内部ハウジング２２１０は六面体形状に設けられてもよく、その他の形状であってもよい。
【００６４】
これに対応してガイドブロック２３１１は、六面体形状の内部ハウジング２２１０が安着できるように陰刻された六面体形状に設けられる。特に、ガイドブロック２３１１は、第２カメラモジュール２１７０のカメラＰＣＢ基板２２３０と連結されたＦＰＣＢ２２３１の配置のために、一側壁が開放されるように設けられる。
【００６５】
これによって、ＦＰＣＢ２２３１がガイドブロック２３１１の開放された領域に配置されながら第２カメラモジュール２１７０がガイドブロック２３１１に挿入できる。また、本発明のガイドブロック２３１１は外部ハウジング２２２０と対面するブロックの形状が外部ハウジング２２２０の形状に対応するように形成される。即ち、外部ハウジング２２２０の形状のうち、側壁部２０２０の一部分は図７に図示されたように第２段差部２０３２より下方に突出するように設けられる。これによって、ガイドブロック２３１１は突出した一部の側壁部２０２０が安着できるように凹凸形状の側壁が設けられる。
【００６６】
ブラケット２３１０は、端末機の全般的な剛性の提供と共に、電波遮断の役割を遂行することができる。このようなブラケット２３１０は、表示部と端末機の回路モジュールとの間に配置されて、表示部で発生する電波が回路モジュールにノイズとして作用しないようにサポートする。そして、ブラケット２３１０は、回路モジュールで発生する電波により表示部のイメージ表示が歪まないようにサポートする。このために、ブラケット２３１０は特定の材質、例えばＭｇ（マグネシウム）が含まれた材質で形成できる。または、ブラケット２３１０は設計者の意図によって多様な電波遮断物質を含む形態に形成できる。
【００６７】
このようなブラケット２３１０の領域のうち、第２カメラモジュール２１７０が実装されるモジュール実装領域２３０５は別途の材質、例えばＳＵＳ材質で形成できる。モジュール実装領域２３０５は、相対的にＭｇが含まれた材質より薄く形成可能で、かつ一定の剛性の提供が可能な特徴がある。これによって、端末機の全体に適用されるブラケット２３１０の厚さのうち、第２カメラモジュール２１７０が実装されるモジュール実装領域２３０５は周辺領域に比べて相対的に薄い厚さで形成できる。
【００６８】
また、モジュール実装領域２３０５は周辺領域と異なる材質で形成できる。ブラケット２３１０のモジュール実装領域２３０５の下段には、前述したように、端末機の表示部が配置される。結果的に、本発明の実施形態に従う端末機は、第２カメラモジュール２１７０が実装されるブラケット２３１０の領域を相対的に薄く形成する。これによって、本発明の実施形態に従う端末機は、第２カメラモジュール２１７０が実装されたセットの高さをより減少させることができるので、端末機スリム化の目的を達成することができる。
【００６９】
一方、第２カメラモジュール２１７０はカメラウィンドウ２２４０が外部ハウジング２２２０に支持されて固定された形態に提供できる。これによって、本発明の端末機の組立は、第２カメラモジュール２１７０がブラケット２３１０のガイドブロック２３１１に実装された以後、単純にリアカバー２３０２を結合し、バッテリーカバー２３０１を結合する工程だけで完成できる。即ち、本発明の端末機組立工程は、ガイドブロック２３１１をブラケット２３１０に形成するステップ、ブラケット２３１０とディスプレイモジュール１４００とを結合するステップ、ブラケット２３１０のガイドブロック２３１１にカメラモジュール２１７０を収納するステップ、リアカバー２３０２をカメラモジュール２１７０の枠を覆うように締結するステップ、及びバッテリーカバー２３０１を結合するステップを含むことができる。この際、カメラモジュール２１７０は、リアカバー２３０２及びバッテリーカバー２３０１に設けられたホールを通じて外部に露出するように組み立てられる。
【００７０】
一実施形態によれば、端末機は、前述した実施形態のうちの１つによりカメラモジュールの一部が露出するように設置するステップ、及びバッテリーカバーによりその上を覆うステップを含む方法により製造できる。
【００７１】
これによって、本発明の実施形態で提供する端末機は完品組立工程が以前に比べて相対的に単純化することによって、生産費の低減が達成できるようにサポートする。カメラウィンドウ２２４０を含む第２カメラモジュール２１７０は、カメラウィンドウ２２４０の固定のために外部ハウジング２２２０の蓋部２０１０とカメラウィンドウ２２４０との間に接着層２２４１がさらに設けられる。
【００７２】
一方、リアカバー２３０２が第１段差部２０３１と第２段差部２０３２が形成する上段部に安着する。この際、第２段差部２０３２とリアカバー２３０２との間にスポンジ２３０３などが配置できる。ここで、スポンジ２３０３は第２段差部２０３２の全体を囲む形態に配置されるため、一定形状の帯で設けられる。スポンジ２３０３は、外部から異質物などの外部ハウジング２２２０の内側への流入を防止する役割を遂行する。
【００７３】
以上、説明した本発明の第２カメラモジュール２１７０の実装構造を有する端末機は、図示したように、外部ハウジング２２２０の側壁部２０２０がブラケット２３１０のガイドブロック２３１１と接触するように配置できる。これによって、外部から衝撃が発生して伝達される場合、該当衝撃量は一時的に外部ハウジング２２２０の側壁部２０２０を通じてブラケット２３１０のガイドブロック２３１１に直接的に伝達される。そして、伝達された衝撃量は２次的に外部ハウジング２２２０の羽根部２０３０を通じてリアカバー２３０２に伝達される。ここで、本発明の端末機は、外部ハウジング２２２０を通じて伝達される衝撃量の減少のために側壁部２０２０とガイドブロック２３１１との間に衝撃吸収層をさらに設けることができる。ここで、衝撃吸収層は、衝撃吸収可能な材質、例えば弾性及び復元機能を有するスポンジ形状やゴム材質、繊維材質など、多様な材質で構成できる。上記衝撃吸収層は、側壁部２０２０の底面に付着されて配置されるか、またはブラケット２３１０のガイドブロック２３１１の上段面に付着されて設けられる。
【００７４】
一方、前述した本発明の第２実施形態に従う第２カメラモジュール２１７０の実装構造のように、第２カメラモジュール２１７０は別途のデコ構造を採用せず、外部ハウジング２２２０がデコの役割を取り替えるように設けられる。これによって、本発明の端末機はデコの設置と配置ステップを省略することができるので、より簡素化した組立工程をサポートすることができる。
【００７５】
一方、外部ハウジング２２２０は、ＰＣ、メッキ用ＡＢＳなどのプラスチック材質で射出が可能であり、塗装、メッキ、蒸着などの後加工によりデコレーションが可能である。外部ハウジング２２２０は、Ａｌを含んだ金属材質で、ＣＮＣ加工を通じて製作されるか、またはダイキャスティング（Diecasting）を通じて製作可能である。また、外部ハウジング２２２０の外表面は、ダイヤカッティング、スピンヘアラインなどの加工により表面形状を変更させることができる。外部ハウジング２２２０は、アノダイジング（anodizing）のような後加工を通じて多様な色相を有するカラー具現が可能であり、これを通じてデコレーションが可能である。前述した各過程は内部ハウジング２２１０にも同一に適用できる。これによって、本発明の第２カメラモジュール２１７０の外部ハウジング２２２０及び内部ハウジング２２１０のうちの少なくとも１つは、前述した後加工処理により形成される塗装層、メッキ層、蒸着層のうち、少なくとも１つをさらに含むことができる。また、本発明の第２カメラモジュール２１７０の外部ハウジング２２２０及び内部ハウジング２２１０のうちの少なくとも１つは、ダイヤカッティング層及びスピンヘアライン加工層のうち、少なくとも１つをさらに含むことができる。また、本発明の第２カメラモジュール２１７０の外部ハウジング２２２０及び内部ハウジング２２１０のうちの少なくとも１つは、少なくとも一部に色相層を有することができる。一方、前述した本発明の第１カメラモジュール１１７０、以後に説明する第３カメラモジュール３１７０にも前述した過程による層のうちの少なくとも１つが形成できる。
【００７６】
図８及び図９は、本発明の第３実施形態に従う第３カメラモジュールの構成を説明するための図である。特に、図８は本発明の第３実施形態の他の第３カメラモジュールの外観斜視図であり、図９は図８の第３カメラモジュールをＣ−Ｃ’切断線に沿って切断した断面を示す図である。
【００７７】
図８及び図９を参照すると、本発明の第３カメラモジュール３１７０はカメラＰＣＢ基板３２３０とレンズモジュール３２５０が実装され、上側に開口を含むことができる。第３カメラモジュール３１７０は、開口された領域にカメラウィンドウ３２４０が配置される統合ハウジング３２１０を含んで構成される。第３カメラモジュール３１７０において、カメラウィンドウ３２４０と統合ハウジング３２１０の上部面との間には接着層３２４１が設けられる。
【００７８】
このような構成の本発明の一実施形態に従う第３カメラモジュール３１７０は、統合ハウジング３２１０を複数の材質を用いて射出方式により製造できる。統合ハウジング３２１０は、一断面の柱部と上端部が一定角度の夾角を有して連結される一定形状を有し、側壁構造物３２１１、３２１３と異なる材質で設けられる剛性構造物３２１２が設けられる。
【００７９】
そして、統合ハウジング３２１０は、剛性構造物３２１２を基盤にしたインサート射出方式を適用して側壁構造物３２１１、３２１３を設けて構成できる。このために、剛性構造物３２１２は金属材質、例えばＳＵＳ、アルミニウム、その他の合金を用いて構成する。この際、剛性構造物３２１２は第３カメラモジュール３１７０の剛性の補完のために一定厚さ、例えば０．１〜０．４ｍｍの厚さを有するように設ける。
【００８０】
剛性構造物３２１２は、側壁構造物３２１１、３２１３のインサート射出後、強固な結合を維持する。このために、剛性構造物３２１２は前後面を貫通する多数個の貫通ホールを含むことができる。これによって、本発明の統合ハウジング３２１０は剛性構造物３２１２を基準にプラスチック材料をインサート射出することによって、剛性構造物３２１２の貫通ホール領域に内外側側壁構造物３２１１、３２１３が挿入されて互いに連結されるように設けられる。一方、統合ハウジング３２１０の形状において、側壁構造物が上段部と一定角度を有して連結された柱部の連結形状を有する例を説明したが、本発明の実施形態はこれに限定されるものではない。即ち、上記側壁構造物は一字形状や鉤形状など、多様な形状に変形可能である。
【００８１】
内側側壁構造物３２１１は剛性構造物３２１２の内部に設けられ、内部にレンズモジュール３２５０が実装できる。これによって、内側側壁構造物３２１１はレンズモジュール３２５０が実装できる空間を有して設けられる。特に、内側側壁構造物３２１１の開口された上部領域にはカメラウィンドウ３２４０が安着できる安着部３２０１が設けられる。この安着部３２０１は、レンズモジュール３２５０の上端が露出するように中央にホールが形成される。安着部３２０１は、カメラウィンドウ３２４０の縁部領域を支持する。安着部３２０１の上端には接着層３２４１及びカメラウィンドウ３２４０の縁部が整列配置される。外側側壁構造物３２１３は、上端部と一定角度を有して連結された柱部連結形状の剛性構造物３２１２の内側に設けられる。
【００８２】
外側側壁構造物３２１３の上端は剛性構造物３２１２を支持することができる。外側側壁構造物３２１３の下端はブラケット３３１０（図１１）に締結できる。前述した構造の第３カメラモジュール３１７０は外部から衝撃が発生して衝撃量が伝達されれば、該当衝撃量が外側側壁構造物３２１３と剛性構造物３２１２に整列されるように配置されるデコ３３０７（図１１）から伝達される。そして、この衝撃量は剛性構造物３２１２と外側側壁構造物３２１３の下段を通じてブラケットに伝達される。外側側壁構造物３２１３は、ブラケット実装時、整列の容易性及び接触する面積の拡張のために凹凸形態に設けられる。外側側壁構造物３２１３は、内側側壁構造物３２１１と同一な材質で設けられる。例えば、側壁構造物３２１１、３２１３はＰＣ（Poly Carbonate）またはＰＣとＧＦ（Glass Fiber）合成材質、ＡＢＳ材質などで設けられる。
【００８３】
以上、説明した本発明の第３カメラモジュール３１７０は、側壁構造物３２１１、３２１３の間に剛性構造物３２１２が配置できる。これによって、本発明の第３カメラモジュール３１７０は統合ハウジング３２１０の剛性を補完することができる。このために、本発明の第３カメラモジュール３１７０は外部から加えられた衝撃から部品の破損を防止することができる。前述した本発明の第３実施形態に従う第３カメラモジュール３１７０の端末機の実装構造について図１０及び図１１を参照してより詳細に説明する。
【００８４】
図１０は、本発明の第３実施形態に従う第３カメラモジュール３１７０がブラケット３３１０に実装された形状を概略的に示す図である。図１１は、図１０の第３カメラモジュール３１７０が実装された後、リアカバーなどが取り付けられた端末機の断面を概略的に示す図である。
【００８５】
図１０及び図１１を参照すると、本発明の第３実施形態に従う第３カメラモジュール３１７０は、ブラケット３３１０のガイドブロック３３０１に実装できる。この際、ガイドブロック３３０１は統合ハウジング３２１０の外側側壁構造物３２１３に対応する形状に設けられる。即ち、ガイドブロック３３０１は凹凸形状に設けられた外側側壁構造物３２１３に対応する凹凸形状に設けられる。ガイドブロック３３０１の一側は、第３カメラモジュール３１７０のＰＣＢ基板に連結されたＦＰＣＢが配置できるように開口された形状に設けられる。第３カメラモジュール３１７０が実装されるブラケット３３１０のうち、モジュール実装領域３３０５は周辺領域に比べて相対的に薄い厚さを有するように形成される。このために、モジュール実装領域３３０５は周辺ブラケット３３１０の領域と異なる材質で設けられる。
【００８６】
一方、統合ハウジング３２１０の剛性構造物３２１２は、外側側壁構造物３２１３と整列される。このような統合ハウジング３２１０の外部に露出した領域の上段にはスポンジ３３０３が配置される。ここで、スポンジ３３０３の役割は外部から第３カメラモジュール３１７０の内部またはリアカバー３３０２の内側などに異質物が流入しないように防止する役割を遂行する。一方、スポンジ３３０３の上部にはデコ３３０７の一端が配置される。これによって、外側側壁構造物３２１３、剛性構造物３２１２の一部、スポンジ３３０３、及びデコ３３０７の一端が整列配置される。スポンジ３３０３及びデコ３３０７の整列高さは、カメラウィンドウ３２４０の高さと同程度に形成される。
【００８７】
デコ３３０７は、図示したように、帯部分３３０６、第１延伸部３３０８、及び第２延伸部３３０４を含む。帯部分３３０６は、カメラウィンドウ３２４０と重畳しないようにスポンジ３３０３の上段に配置される。第１延伸部３３０８は、帯部分３３０６と連結され、外側側壁構造物３２１３の方向に延伸される。第２延伸部３３０４は、リアカバー３３０２と並んでいる方向に一定の長さだけ延伸される。ここで、第１延伸部３３０８は帯部分３３０６の縁部から一定の傾斜角を有して設けられる。これによって、帯部分３３０６に伝達された衝撃量が傾斜角を有する第１延伸部３３０８を通じて第２延伸部３３０４に伝達される。力の伝達過程で前述した傾斜角を有する第１延伸部３３０８により衝撃が一部緩和できる。
【００８８】
リアカバー３３０２は、デコ３３０７の第２延伸部３３０４を支持しながら配置される。実質的に、リアカバー３３０２は第３カメラモジュール３１７０がブラケット３３１０に挿入された以後、第３カメラモジュール３１７０が露出するように配置される。このために、リアカバー３３０２は、第３カメラモジュール３１７０の領域に対応する領域が開口された形態に設けられる。リアカバー３３０２は、第２延伸部３３０４から衝撃量が伝達されれば、これを吸収及び緩和する役割を遂行することができる。
【００８９】
バッテリーカバー３３０１は、第３カメラモジュール３１７０が露出するように一部領域が開口できる。特に、バッテリーカバー３３０１の開口領域は、カメラウィンドウ３２４０及びデコ３３０７の帯部分３３０６まで露出するように設けられる。バッテリーカバー３３０１は、第１延伸部３３０８及び第２延伸部３３０４の前面と接触するように設けられる。これによって、帯部分３３０６を通じて衝撃量が伝達される場合、該当衝撃量をバッテリーカバー３３０１の前面に伝達することができる。
【００９０】
前述したように、本発明の第３実施形態に従う第３カメラモジュール３１７０は統合ハウジング３２１０をインサート射出方式を用いて構成する。このような第３カメラモジュール３１７０は、剛性構造物３２１２の内外側に側壁構造物３２１１、３２１３が配置されるようにサポートする。このような構造の第３カメラモジュール３１７０は、外部から衝撃が加えられる場合、統合ハウジング３２１０がこれを吸収する。そして、第３カメラモジュール３１７０は衝撃量をブラケット３３１０とその他の構造物に伝達する。この過程で、衝撃量が集中する統合ハウジング３２１０が剛性構造物３２１２上に設けられることによって、部品の破損を最小化することができる。
【００９１】
以上、説明したように、本発明のカメラモジュールを含む端末機によれば、本発明のカメラモジュールをよりスリム化など小型化することで、カメラモジュールが実装される空間を縮小することができる。
また、本発明の実施形態に従う構成は、カメラモジュールのスリム化など小型化を達成し、かつ耐衝撃性を増加させることができる。
また、本発明の実施形態に従う構成は、付属品の一体化過程を通じて製造工程をより単純化することができるので、生産性の向上を図ることができる。
【００９２】
また、本発明の実施形態に従う上記携帯端末機１００はカメラモジュールが実装されるモジュール、例えば多様な通信システムに対応する通信プロトコル（communication protocols）に基づいて動作する全ての移動通信端末機（mobile communication terminals）をはじめとして、ＰＭＰ（Portable Multimedia Player）、ディジタル放送プレーヤー、ＰＤＡ（Personal Digital Assistant）、音楽再生機（例えば、ＭＰ３プレーヤー）、携帯ゲーム端末、スマートフォン（Smart Phone）、ノートブック（Notebook）、及びハンドヘルドＰＣなど、全ての情報通信機器とマルチメディア及びそれに対する応用機器を含むことができる。
【００９３】
一方、本明細書と図面を通じて本発明の好ましい実施形態に対して説明したものであり、たとえ特定用語が使われたが、これは単に本発明の技術内容を容易に説明し、本発明の技術的思想の理解を助けるための一般的な意味で使われたものであり、本発明の範囲を限定しようとするものではない。ここに開示された実施形態の他にも本発明の技術的思想に基づいた他の変形例が実施可能であるということは、本発明が属する技術分野で通常の知識を有する者に自明である。
【符号の説明】
【００９４】
１００    端末機
１７０、１１７０、２１７０、３１７０    カメラモジュール
１２１０、２２１０、１２２０、２２２０、３２１０    ハウジング
１２４０、２２４０、３２４０    カメラウィンドウ
１２４１、２２４１、３２４１    接着層
【図１ａ】
2014174551.tif 000003
【図１ｂ】
2014174551.tif 000004
【図２ａ】
2014174551.tif 000005
【図２ｂ】
2014174551.tif 000006
【図３】
2014174551.tif 000007
【図４】
2014174551.tif 000008
【図５】
2014174551.tif 000009
【図６】
2014174551.tif 000010
【図７】
2014174551.tif 000011
【図８】
2014174551.tif 000012
【図９】
2014174551.tif 000013
【図１０】
2014174551.tif 000014
【図１１】
2014174551.tif 000015